(57)【特許請求の範囲】
【請求項１】
建物外壁に互いに交差し、格子状に形成された、鉛直方向目地にはガスケットが嵌着され、水平方向目地には不定形のシーリング剤が充填され、しかも前記鉛直方向目地に嵌着されるガスケットが、目地の奥から表に向かって伸びる柱状部、及びその柱状部の表側の端に結合され、左右両側に伸び、目地左右側面に弾接する表面リップを備えている建物外壁目地のシール構造の排水構造において、
前記不定形シーリング剤は、一部がガスケットの上下方向端部のうち、少なくとも下端部内に入り込み、かつ前記ガスケット内に入った水を屋外に排出可能に、ガスケット下端部の表面リップの左右方向の幅の少なくとも一部が、鉛直方向の長さのすべてにわたって前記シーリング剤と離間しているだけによって構成されることを特徴とする建物外壁目地シールの排水構造。
【発明の詳細な説明】
【技術分野】
【０００１】  本発明は、建物外壁目地のシール構造の排水路及びその排水路形成方法に関する。
【背景技術】
【０００２】  先ず建物外壁目地のシール構造について図４により説明すると、１は建物の外面に張られた面材、３ａ、３ｂはそれぞれ互いに交差する鉛直方向目地、水平方向目地、すなわち、建物外面に張られた面材１の鉛直方向、水平方向の隙間であって、表側からは格子状に見える。１０４は鉛直方向目地３ａに嵌着されたガスケットであって、目地３ａの奥から表に向かって伸びる柱状部１０４ａ、その柱状部１０４ａの表側の端に結合され、左右両側に伸び、目地３ａ左右側面（面材１，１）に弾接する表面リップ１０４ｂ、その表面リップ１０４ｂの奥、前記柱状部１０４ａには、左右両側に伸び、目地左右側面に弾接する中間リップ１０４ｃ、奥リップ１０４ｄが結合されている。【０００３】  以上に対して、１０５は水平方向目地３ｂに注入、充填された不定形のシーリング剤であって、ガスケット１０４は水平方向目地３ｂによって分断されているが、不定形シーリング剤１０５は両目地３ａ，３ｂの交差部を含めて水平方向に連続している。鉛直方向目地３ａはリップ１０４ｂ，１０４ｃ，１０４ｄの側面への弾接によって、水平方向目地３ｂは不定形シーリング剤１０５の充填によってそれぞれ水密にシールされている。【０００４】  しかしながら、不定形シーリング剤１０５がガスケット１０４の上下両端を閉塞しているため、表面リップ１０４ｂを越えて水が鉛直方向目地３ａ内に浸入すると、その水が排出されず、溜まるため、それによって面材が損傷を受け、屋内への水漏れに発展すると言う問題点がある。しかも、冬季にはその溜まった水が凍結、膨張し、その圧力によって面材１が損傷を受けると言う問題点も加わる。また、排水路、排水口の設置については当業者が容易に思い到ることではあるが、それに伴う外観の悪化、工数増、コスト増もあり、満足する発案に到っていないのが現状である。【０００５】  なお、水平方向目地からの建物内への水の浸入を防止する水切り部材についての提案（例えば特許文献１，２）がなされている。これら特許文献には、説明はなされていないが、鉛直方向目地のガスケットを流下した水はこの水切り部材を経て外部へ排出されるものと推察される。しかし、この水切り部材は一見して部品点数が多く、複雑でその組み付けが煩瑣であると言う問題点がある。その他、使用される建物に対して意匠上の制約もある。
【特許文献１】特開平８−１０５１２５号公報
【特許文献２】特許第３７１６２９０号公報
【発明の開示】
【発明が解決しようとする課題】
【０００６】
【０００７】  以上のことから、本発明は、上記した従来技術の欠点を除くために、施工も容易であって、排水効果の高い、建物外壁目地のシール構造の排水構造を提供することにある。
【課題を解決するための手段】
【０００８】
上記の目的を達するために、請求項１の発明の建物外壁目地のシール構造の排水構造は、建物外壁に互いに交差し、格子状に形成された、鉛直方向目地にはガスケットが嵌着され、水平方向目地には不定形のシーリング剤が充填され、しかも前記鉛直方向目地に嵌着されるガスケットが、目地の奥から表に向かって伸びる柱状部、及びその柱状部の表側の端に結合され、左右両側に伸び、目地左右側面に弾接する表面リップを備えている建物外壁目地のシール構造の排水構造において、前記不定形シーリング剤は、一部がガスケットの上下方向端部のうち、少なくとも下端部内に入り込み、かつ前記ガスケット内に入った水を屋外に排出可能に、ガスケット下端部の表面リップの左右方向の幅の少なくとも一部が、鉛直方向の長さのすべてにわたって前記シーリング剤と離間しているだけによって構成されることを特徴とする。
【発明の効果】
【００１０】
請求項１の発明によれば、建物外壁目地のシール構造の各ガケットの下端部に鉛直方向に伸びる排水路が設けられているため、その表面リップを越えて水が鉛直方向目地内に浸入しても、その水は前記排水路の下端開口から屋外に自重で排出され、内部に溜まることはなく、従って面材や下地材がそれによって損傷を受けたり、さらに屋内への水漏れに発展したりすることはない。勿論、冬季に溜まった水の凍結、膨張による従来の問題点もない。しかも、その排水路は不定形シーリング剤の、ガスケットの表側の面の左右幅方向の少なくとも一部が、該一部の鉛直方向の長さのすべてにわたって、その表面リップの裏側の面から離間しているだけで形成されているため、その形成を目的としたガスケットの追加工は全く又は殆ど不要である。また不定形シーリング剤は充填時可塑性を有するため、その表側の面の一部の上記表面リップの裏側の面からの離間は、例えば極めて単純な型の挿入等、さらに具体的には、例えば水平方向目地への不定形シーリング剤の充填に先立って、前記ガスケットの表面リップの所定部分に極めて単純な形状のボンドブレーカーを添着し、水平方向目地に不定形シーリング剤を充填した後、そのボンドブレーカーを前記表面リップと不定形シーリング剤との間から抜き出すと言う極めて簡単な操作によって容易に可能であり、それに伴う工数増やコスト増は殆どない。また、それによって例えば建物の外観を損なう排水口がガスケットの表側の面に露出するようなことはなく、見栄えもよい。しかも前記不定形シーリング剤の一部がガスケットの上下方向端部のうち、少なくとも下端部内に入り込んでいるため、ガスケットの排水路を経て建物内へ水が浸入することが防止される。
【発明を実施するための最良の形態】
【００１２】  本発明を実施するための最良の形態に関わる建物外壁目地のシール構造の排水路について図１及び図２により説明する。先ずシール構造について説明すると、１は建物の外面に張られた面材、３ａ、３ｂはそれぞれ互いに交差する鉛直方向目地、水平方向目地、すなわち、それぞれ建物外面に張られた面材１の鉛直方向、水平方向の隙間であって、表側からは格子状に見える。【００１３】  ４は鉛直方向目地３ａに嵌着されたガスケットであって、目地３ａの奥から表に向かって伸びる柱状部４ａ、その柱状部４ａの表側の端に結合され、左右両側に伸び、目地３ａ左右側面（面材１，１）に弾接する表面リップ４ｂ、その表面リップ４ｂの奥、前記柱状部４ａには、左右両側に伸び、目地３ａ左右側面に弾接する中間リップ４ｃ、奥リップ４ｄがそれぞれ結合されている。なお、符号は省略するが、表面リップ４ｂと中間リップ４ｃとの間、左右に補強のためにそれぞれブリッジが設けられている。【００１４】  上記ガスケット４についてさらに詳細に説明すると、図１（ａ）及び図２（ｂ）に示すように、その下端部は、表面リップ４ｂが水平方向目地３ｂの上辺で切り取られ、柱状部４ａや中間リップ４ｃはその水平方向目地３ｂの上辺よりも僅かに高い位置でそれぞれ切り取られており、奥リップ４ｄは水平方向目地３ｂの下辺まで伸びている。その理由については後述するが、その理由を除けば、従来例同様全て水平方向目地３ｂの上辺に面一に揃えてもよい。【００１５】  最後に、５は水平方向目地３ｂに注入、充填された不定形シーリング剤であって、上記ガスケット４が水平方向目地３ｂ毎に分断されているのに対して、両目地３ａ，３ｂの交差部を含めて水平方向に連続しており、その一部５ａはガスケット４の上下方向の端部（鉛直方向目地３ａ）内にも入り込んでいる。以上で構成されることによって、鉛直方向目地３ａの側面にリップ４ｂ，４ｃ，４ｄが弾接し、他方、水平方向目地３ｂに不定形シーリング剤５が充満するため、両目地３ａ，３ｂは水密にシールされる。【００１６】  ここで本発明の排水構造の主体である排水路５ｂについて説明すると、前記不定形シーリング剤５の、ガスケット４下端部（鉛直方向目地３ａ）内に入り込んだ部分５ａの（ガスケット４の表面リップ４ｂの裏面と相対する）表側の面の、左右方向の幅の少なくとも一部（図ではその左右両端部分）が、鉛直方向の長さのすべてにわたって窪み、前記ガスケット４の表面リップ４ｂの裏側の面から離間することだけによって構成されている。【００１７】  作用について説明すると、各ガスケット４の下端部に鉛直方向に伸びる排水路５ｂが設けられているため、その表面リップ４ｂを越えて水がガスケット４内に浸入しても、その水はガスケット４内を自重で降下し、前記排水路５ｂの下端開口から屋外に排出され、内部に溜まることはなく、従って面材１がそれによって損傷を受けたり、さらに屋内への水漏れに発展したりすることはない。勿論、冬季に溜まった水の凍結、膨張による従来の問題点もない。【００１８】  しかも、その排水路５ｂは、不定形シーリング剤５のガスケット４下端部内に入り込んだ部分５ａの表側の面の左右方向の幅の少なくとも一部が、鉛直方向の長さのすべてにわ���って前記ガスケット４の表面リップ４ｂの裏側の面から離間しているだけで形成されているため、その形成を目的としたガスケット４の追加工は、上述の下端部の切り欠きを除き、全くまたは殆ど不要である。また不定形シーリング剤５は充填時可塑性を有するため、その不定形シーリング剤５の表側の面の一部の、上記ガスケット４の表面リップ４ｂの裏側の面からの離間は、後述のように、例えば極めて単純な型の挿入等によって容易に可能であり、それに伴う工数増やコスト増は殆どない。また、例えば建物の外観を損なう排水口がガスケットの表側の面に露出するようなことはなく、見栄えもよい。【００１９】  なお、上述のように、ガスケット４の下端部の奥リップ４ｄを水平方向目地３ｂの下辺まで伸ばすことは、それによって、不定形シーリング剤５の鉛直方向目地３ａの奥の不要箇所への無駄な充填を防止すると共に、その一部５ａをガスケット４の端部（鉛直方向目地３ａ）内への充填を著しく容易にする。さらに表面リップ４ｂを除く柱状部４ａと中間リップ４ｃとを切り欠くことは、ガスケット４を単に面一に裁断するのに比較して、僅少ながらコスト増を来たすが、それによって不定形シーリング剤５のガスケット４内への充填（押し込み）の抵抗が少なくなり、その充填及び排水路５ｂの形成が容易になり、且つガスケット４の面材１の外面に対する端部の浮き上がりが防止される。【００２０】  なお、ここで前記排水路５ｂの形成方法について説明すると、図２に示すように、水平方向目地３ｂへの不定形シーリング剤５の充填に先立って、前記ガスケット４の表面リップ４ｂの下端部の端部、且つ表面リップ４ｂの裏側の面の左右方向の幅の少なくとも一部（図ではその左右両端）、且つ前記不定形シーリング剤５が入り込むと推定される鉛直方向の長さを超える長さにわたって、前記表面リップ４ｂと容易に分離可能であり、且つ不定形シーリング剤５にも接着しないフィルム状又はシート状のボンドブレーカー（離型紙等）６を添着する。次いでそのボンドブレーカー６を添着したガスケット４を鉛直方向目地３ａに嵌着する。【００２１】  上記ボンドブレーカー６についてさらに詳細に説明すると、一方向に長い長方形（帯状）であって、その長手方向の一部（図では半分）を表面リップ４ｂ下端部の裏側の面に重ね合わせたうえ、残りを表の側に折り曲げ、表面リップ４ｂの表側の面に重ね合わせて添着する。なお、ボンドブレーカー６の、表面リップ４ｂの裏側の面に重ね合わせる部分の鉛直方向の長さとしては、上述の前記不定形シーリング剤５が入り込むと推定される鉛直方向の長さを超える値が必要であるが、表側に重ね合わせる部分の長さはそれと同じであっても、またそれより短くてもよい。また図２では、各ボンドブレーカー６は、その左右いずれか一方の端部分が表面リップ４ｂの左右いずれかの先端（端縁）よりも左右方向にはみ出しているが、そのはみ出しは不可欠と言うものではない。【００２２】  次いで水平方向目地３ｂに不定形シーリング剤５を充填し、硬化した後、各ボンドブレーカー６の、表面リップ４ｂの表側の面に重ね合わせた部分を手前に引き剥がし、その引き剥がした部分、又は前記左右にはみ出した部分を手で摘んで引っ張り、抜き出すと��表面リップ４ｂの左右の端縁が鉛直方向目地３ａ側面に弾接し、その抜き出したボンドブレーカー６の跡に、その厚さに相当し、且つ前記ガケット４内、表面リップ４ｂ・中間リップ４ｃの間の空隙部とその下方の外部とを連通する、左右一対の鉛直方向の排水路５ｂが形成される。【００２３】  ボンドブレーカー６の別の例について図３により説明すると、左右方向の幅が前述のもののそれよりも大（図ではその２倍）で、鉛直方向の長さは前述のものと略同じ長方形であって、その鉛直方向の長さの一部を表面リップ４ｂ下端部幅方向中央の裏側の面に重ね合わせたうえ、それをそのまま面一に鉛直方向に若干延長し、（その延長部分が表面リップ４ｂの下端縁からはみ出した状態で）残りの部分を表の側に折り曲げ、表面リップ４ｂの表側の面に重ね合わせ、添着したものである。なお、そのボンドブレーカー６の、表面リップ４ｂの表側に重ね合わせる部分の長さは裏側に重ね合わせる部分と同じであっても、またそれより短くてもよい。【００２４】  次いで水平方向目地３ｂに不定形シーリング剤５を充填した後、各ボンドブレーカー６の、前記表面リップ４ｂの表側の面に重ね合わせた部分を鉛直方向に引き剥がし、その引き剥がした部分を、手で摘んで引っ張り、抜き出すと、表面リップ４ｂの左右の端縁が鉛直方向目地３ａに弾接し、その抜き出したボンドブレーカー６の跡に、その厚さに相当し、且つ前記ガケット４内空隙部とその下方の外部とを連通する、１つの鉛直方向の排水路５ｂが形成される。
以上ボンドブレーカー６の効果について説明すると、上述のようにいずれも極めて簡単で安価なボンドブレーカー６と言う型及びその添着と抜き出しと言う極めて簡単な操作によって、上述の効果を発揮する排水路５ｂを容易に形成可能であることは明らかである。
【図面の簡単な説明】
【００２５】
【００２６】
【図１】本発明の建物外壁目地のシール構造の排水路を示す、それぞれ（ａ）は縦断面図、（ｂ）はそのＡ−Ａ断面図である。
【図２】本発明の建物外壁目地のシール構造の排水路の形成方法の一部を示す、それぞれ（ａ）は正面図、（ｂ）はそのガスケットにボンドブレーカーを添着した状態の斜視図である。
【図３】ガスケットの別の位置にボンドブレーカーを添着した状態の斜視図である。
【図４】従来の建物外壁目地のシール構造を示す、それぞれ（ａ）は正面図、（ｂ）はＢ−Ｂ断面図である。
【符号の説明】
【００２７】１        面材
３ａ      鉛直方向目地
３ｂ      水平方向目地
４        ガスケット
４ａ      柱状部
４ｂ      表面リップ
４ｃ      中間リップ
４ｄ      奥リップ
５        不定形シーリング剤
５ａ      入り込んだ部分
５ｂ      排水路
６        ボンドブレーカー
１０４    ガスケット
１０４ａ  柱状部
１０４ｂ  表面リップ
１０４ｃ  中間リップ
１０４ｄ  奥リップ
１０５    不定形シーリング剤
【図１】
0004817880.tif 000002
【図２】
0004817880.tif 000003
【図３】
0004817880.tif 000004
【図４】
0004817880.tif 000005